(57)【特許請求の範囲】
【請求項１】
登録される放送プログラムを管理する放送プログラム管理部と、第１の放送プログラムを登録すると共に、前記放送プログラム管理部に接続された第１の放送プログラム登録部と、設定情報に基づき前記第１の放送プログラムを放送する第１の放送プログラム制御部と、を備える操作卓と、
第２の放送プログラムを登録すると共に、前記放送プログラム管理部に接続された第２の放送プログラム登録部と、設定情報に基づき前記第２の放送プログラムを放送する第２の放送プログラム制御部と、を備える遠隔制御装置と、
前記第１および第２の放送プログラム制御部から出力される前記第１および第２の放送プログラムを無線放送する無線部と、を有し、
前記放送プログラム管理部は、前記第１および第２の放送プログラムの放送日時情報および放送地区情報が互いに重複する場合、前記第１および第２の放送プログラムの一方の登録を許可しない、無線装置。
【請求項２】
前記第２の放送プログラムの放送日時情報および放送地区情報が前記第１の放送プログラムの放送日時情報および放送地区情報と重複している場合、前記放送プログラム管理部は前記第２の放送プログラムの登録を許可しない、請求項１に記載の無線装置。
【請求項３】
前記第１の放送プログラムの放送日時情報および放送地区情報が前記第２の放送プログラムの放送日時情報および放送地区情報と重複している場合、前記放送プログラム管理部は前記第１の放送プログラムの登録を許可しない、請求項１または２に記載の無線装置。
【請求項４】
前記放送プログラム管理部は、登録済みの放送プログラムの放送日時情報および放送地区情報を含む登録済み放送情報を格納するメモリを更に備える、請求項１乃至３のいずれか一項に記載の無線装置。
【請求項５】
前記第１および第２の放送プログラム登録部のそれぞれは、新規に放送プログラムを登録する際に当該放送プログラムの放送日時情報および放送地区情報を含む新規登録放送情報を前記放送プログラム管理部に送信し、
前記放送プログラム管理部は、前記新規登録放送情報と前記メモリに格納されている登録済み放送情報とを比較し、前記新規登録放送情報の放送日時情報および放送地区情報と前記登録済み放送情報の放送日時情報および放送地区情報とが重複していない場合は、前記新規登録放送情報を前記メモリに格納すると共に、前記新規登録放送の設定情報を前記第１および第２の放送プログラム制御部に送信する、請求項４に記載の無線装置。
【請求項６】
前記放送プログラム管理部は、前記新規登録放送情報と前記メモリに格納されている登録済み放送情報とを比較し、前記新規登録放送情報の放送日時情報および放送地区情報と前記登録済み放送情報の放送日時情報および放送地区情報とが重複している場合は、前記新規登録放送情報を前記メモリに格納しない、請求項５に記載の無線装置。
【請求項７】
請求項１乃至６のいずれか一項に記載の無線装置と、
前記無線装置から送信された電波を受信して放送の音声を出力する受信装置と、
を備える無線システム。
【請求項８】
前記受信装置は屋外拡声装置および戸別受信機の少なくとも一方を含む、請求項７に記載の無線システム。
【請求項９】
無線装置の制御方法であって、
前記無線装置は、第１の放送プログラムを登録する第１の放送プログラム登録部と、設定情報に基づき前記第１の放送プログラムを放送する第１の放送プログラム制御部と、を備える操作卓と、第２の放送プログラムを登録する第２の放送プログラム登録部と、設定情報に基づき前記第２の放送プログラムを放送する第２の放送プログラム制御部と、を備える遠隔制御装置と、前記第１および第２の放送プログラム制御部から出力される前記第１および第２の放送プログラムを無線放送する無線部と、を有し、
前記第１および第２の放送プログラムの放送日時情報および放送地区情報が互いに重複する場合、前記第１および第２の放送プログラムの一方の登録を許可しない、
無線装置の制御方法。
【発明の詳細な説明】
【技術分野】
【０００１】
本発明は無線装置、無線システム、および無線装置の制御方法に関し、特に操作卓および遠隔制御装置で放送プログラムを設定することができる防災用の無線装置、無線システム、および無線装置の制御方法に関する。
【背景技術】
【０００２】
各地域の学校や公園などの公共の場所に設置される屋外拡声装置や各家庭に設置される戸別受信機などの子局設備と、主に市町村の市役所や役場に設置され、子局設備に向けて定時放送や広報を送信する無線装置（親局設備）とを備える防災無線システムがある。
【０００３】
この防災無線システムは、放送日時、放送内容（定時放送や広報）、放送する地区、放送する媒体（屋外拡声装置、戸別受信機）等を設定したプログラムを予め記憶させて、放送時間に達した時に指定された地区及び媒体に向けて放送を行う。また、火災、地震、津波などの災害が発生したときには手動で緊急放送も行える。例えば、お昼を知らせるチャイムは定時放送の一つであり、全ての地域に対して放送を行う。また、特定の地域で実施される水道工事により一時的に断水する旨を知らせる放送は、断水する時間に断水地域に対して行なわれる。
【０００４】
図６はこのような無線システムの一例を示すブロック図である。図６に示す無線システムは、無線装置（親局設備）１０１と子局設備１６０とを備える。無線装置１０１は、無線部１５０、操作卓１１０、および遠隔制御装置１２０、１３０を備える。操作卓１１０は、例えば市役所等の地域の拠点に設置されている。各放送プログラムの放送日時、放送内容（定時放送や広報）、放送する地区、放送する媒体（屋外拡声装置、戸別受信機）等は操作卓１１０を用いて設定することができる。
【０００５】
遠隔制御装置１２０、１３０は、例えば消防署や警察署などに設置されている。各遠隔制御装置１２０、１３０は操作卓１１０と接続され、設定用の端末として使用することができる。遠隔制御装置１２０、１３０を用いることによっても、各放送プログラムの放送日時、放送内容（定時放送や広報）、放送する地区、放送する媒体（屋外拡声装置、戸別受信機）等を設定することができる。無線部１５０は、操作卓１１０や遠隔制御装置１２０、１３０で設定された放送プログラムを、例えば防災行政無線で使用される６０ＭＨｚ帯のＦＭ波を用いて送信する。
【０００６】
また、子局設備１６０は屋外拡声装置１６１と戸別受信機１６２を備える。屋外拡声装置１６１は、無線装置１０１から送信された電波をアンテナを介して受信する。そして、送信信号に含まれている音声信号と選択呼出信号を復調し、復調した選択呼出信号が自己に対する呼び出しであるか否かを判定する。選択呼出信号が自己に対する呼び出しである場合、屋外拡声装置１６１は復調した音声信号を増幅してスピーカより出力する。同様に、戸別受信機１６２は、無線装置１０１から送信された電波をアンテナを介して受信する。そして、送信信号に含まれている音声信号と選択呼出信号を復調し、復調した選択呼出信号が自己に対する呼び出しであるか否かを判定する。選択呼出信号が自己に対する呼び出しである場合、戸別受信機１６２は復調した音声信号を増幅してスピーカより出力する。
【０００７】
また、特許文献１には放送後のプログラムを消去することなく再利用することができ、また次回の放送日時を確認することができる防災無線送信装置及び防災無線システムに関する技術が開示されている。特許文献１に開示されている防災無線送信装置は、少なくとも放送時刻、放送地区、放送内容からなるプログラムをモニタの画面上で設定可能とする設定手段と、この設定手段にて設定されたプログラムを記憶する記憶手段と、を備える。更に、現在時刻が記憶手段に記憶された少なくとも一つのプログラムの放送時刻に達すると、そのプログラムの放送地区の子局設備に向けてそのプログラムの放送内容を送信する制御を行う制御手段と、記憶手段より送信済みのプログラムを読み出してそのプログラムの内容の変更を設定手段にて行えるようにする変更手段と、を備える。
【０００８】
また、特許文献２には、防災無線システム、消防無線システム及び一般無線放送などで利用する同報システムにおいて、自動通報番組の登録時刻を変更することなく、即座に自動通報の番組内容を通報することのできる自動放送装置を提供する技術が開示されている。特許文献２に開示されている防災無線システムでは、自動放送装置の表示入力部に自動通報番組を即座に通報するための即時通報入力手段を設け、制御部に自動通報番組を即時に通報する制御を行う即時通報制御手段を設けている。これにより、自動通報の番組内容が登録時刻と一致しなくても、即座に所望の情報を通報できる。一方、通常の通報では、自動通報入力手段より自動通報番組を登録することにより、時計部で管理された時刻に自動通報を行うことができる。よって、災害時に即座に所望の情報を通報することができると共に、災害時及び平常時に、同じ放送内客を同じ地域に幾度も繰り返し放送することができ、伝達サービスの向上が図れる。
【先行技術文献】
【特許文献】
【０００９】
【特許文献１】特開２００１−８６０７９号公報
【特許文献２】特開２００２−９４４７４号公報
【発明の概要】
【発明が解決しようとする課題】
【００１０】
図６に示した背景技術にかかる無線システムでは、無線装置１０１から送信される放送プログラムを操作卓１１０および遠隔制御装置１２０、１３０を用いて設定することができる。しかしながら、操作卓１１０および遠隔制御装置１２０、１３０は、それぞれが設定した放送プログラムの放送時刻および放送地区に関する情報を共有することができなかった。このため、無線装置１０１から送信される放送プログラムの中に、放送日時および放送地区が同一である放送プログラムが存在した場合、これらの放送プログラムが放送されないおそれがあるという問題があった。
【００１１】
上記課題に鑑み本発明の目的は、操作卓および遠隔制御装置を用いて放送プログラムを設定する場合であっても、適切に放送プログラムを設定することが可能な無線装置、無線システム、および無線装置の制御方法を提供することである。
【課題を解決するための手段】
【００１２】
本発明にかかる無線装置は、登録される放送プログラムを管理する放送プログラム管理部と、第１の放送プログラムを登録すると共に、前記放送プログラム管理部に接続された第１の放送プログラム登録部と、設定情報に基づき前記第１の放送プログラムを放送する第１の放送プログラム制御部と、を備える操作卓と、第２の放送プログラムを登録すると共に、前記放送プログラム管理部に接続された第２の放送プログラム登録部と、設定情報に基づき前記第２の放送プログラムを放送する第２の放送プログラム制御部と、を備える遠隔制御装置と、前記第１および第２の放送プログラム制御部から出力される前記第１および第２の放送プログラムを無線放送する無線部と、を有し、前記放送プログラム管理部は、前記第１および第２の放送プログラムの放送日時情報および放送地区情報が互いに重複する場合、前記第１および第２の放送プログラムの一方の登録を許可しない。
【００１３】
本発明にかかる無線装置の制御方法は、第１の放送プログラムを登録する第１の放送プログラム登録部と、設定情報に基づき前記第１の放送プログラムを放送する第１の放送プログラム制御部と、を備える操作卓と、第２の放送プログラムを登録する第２の放送プログラム登録部と、設定情報に基づき前記第２の放送プログラムを放送する第２の放送プログラム制御部と、を備える遠隔制御装置と、前記第１および第２の放送プログラム制御部から出力される前記第１および第２の放送プログラムを無線放送する無線部と、を有する無線装置の制御方法であって、前記第１および第２の放送プログラムの放送日時情報および放送地区情報が互いに重複する場合、前記第１および第２の放送プログラムの一方の登録を許可しない。
【発明の効果】
【００１４】
本発明により、操作卓および遠隔制御装置を用いて放送プログラムを設定する場合であっても、適切に放送プログラムを設定することが可能な無線装置、無線システム、および無線装置の制御方法を提供することができる。
【図面の簡単な説明】
【００１５】
【図１】実施の形態にかかる無線装置を説明するためのブロック図である。
【図２】実施の形態にかかる無線装置の動作を説明するためのフローチャートである。
【図３】実施の形態にかかる無線装置が格納する登録済み放送情報の一例を示す図である。
【図４】実施の形態にかかる無線装置の放送プログラム登録部が放送プログラム管理部に送信する新規登録放送情報の一例を示す図である。
【図５】実施の形態にかかる無線システムを説明するためのブロック図である。
【図６】背景技術にかかる無線システムの一例を説明するためのブロック図である。
【発明を実施するための形態】
【００１６】
以下、図面を参照して本発明の実施の形態について説明する。
図１は、本実施の形態にかかる無線装置を説明するためのブロック図である。図１に示す無線装置は、操作卓１０、遠隔制御装置２０、３０、４０、無線部５０を備える。操作卓１０は、例えば市役所等の地域の拠点に設置することができる。また、遠隔制御装置２０、３０、４０は、例えば消防署や警察署などに設置することができる。ここで、操作卓１０はメインの操作装置であり、遠隔制御装置２０、３０、４０はサブの操作装置である。なお、無線装置１は１つの操作卓１０と、少なくとも１つの遠隔制御装置を備えていればよく、遠隔制御装置の数は任意に決定することができる。
【００１７】
放送プログラムの放送日時、放送内容（定時放送や広報）、放送する地区、放送する媒体（屋外拡声装置、戸別受信機）等は、操作卓１０および遠隔制御装置２０、３０、４０を用いて設定することができる。つまり、遠隔制御装置２０、３０、４０は操作卓１１０と接続され、設定用の端末として使用することができる。無線部１５０は、操作卓１０や遠隔制御装置２０、３０、４０で設定された放送プログラムを、例えば防災行政無線で使用される６０ＭＨｚ帯のＦＭ波を用いて送信する。以下で、操作卓１０、遠隔制御装置２０、３０、４０の装置構成について詳細に説明する。
【００１８】
操作卓１０は、放送プログラム登録部（第１の放送プログラム登録部）１１、放送プログラム制御部（第１の放送プログラム制御部）１２、放送プログラム管理部１３を備える。放送プログラム登録部１１は、操作卓１０の入力手段を用いて設定された放送プログラム（第１の放送プログラム）を登録する。また、放送プログラム登録部１１は放送プログラム管理部１３に接続されている。放送プログラム制御部１２は、操作卓１０により登録された放送プログラムを設定情報（放送日時情報、放送地区情報、および放送内容等）に基づき放送する。また、放送プログラム管理部１３は、登録される放送プログラムを管理する。ここで、放送プログラム管理部１３は、登録済み放送情報を格納するメモリを備えていてもよい。登録済み放送情報とは、操作卓１０の放送プログラム制御部１２および遠隔制御装置２０、３０、４０の放送プログラム制御部２２、３２、４２に既に登録された登録済みの放送プログラムの放送日時情報および放送地区情報を含む情報である。
【００１９】
放送プログラム登録部１１は、新規に放送プログラムを登録する際に放送プログラムの放送日時情報および放送地区情報を含む新規登録放送情報を放送プログラム管理部１３に送信する。そして、放送プログラム管理部１３は、新規登録放送情報の放送日時情報および放送地区情報と、登録済み放送情報の放送日時情報および放送地区情報とが重複していない場合は、新規登録放送の設定情報を放送プログラム制御部１２に送信する。放送プログラム制御部１２は、受信した放送プログラムの設定情報を放送プログラム制御部１２が備えるメモリに格納し、この放送プログラムの設定情報に基づく信号を無線部５０に供給する。そして、この放送プログラムは無線部５０から電波を用いて無線送信される。
【００２０】
遠隔制御装置２０は、放送プログラム登録部（第２の放送プログラム登録部）２１および放送プログラム制御部（第２の放送プログラム制御部）２２を備える。放送プログラム登録部２１は、遠隔制御装置２０の入力手段を用いて設定された放送プログラム（第２の放送プログラム）を登録する。放送プログラム制御部１２は、遠隔制御装置２０により登録された放送プログラムを設定情報に基づき放送する。また、放送プログラム登録部２１は操作卓１０の放送プログラム管理部１３に接続されている。操作卓１０と遠隔制御装置２０の放送プログラムに関する設定情報は放送プログラム管理部１３において共有される。
【００２１】
放送プログラム登録部２１は、新規に放送プログラムを登録する際に放送プログラムの放送日時情報および放送地区情報を含む新規登録放送情報を、操作卓１０の放送プログラム管理部１３に送信する。そして、放送プログラム管理部１３は、新規登録放送情報の放送日時情報および放送地区情報と登録済み放送情報の放送日時情報および放送地区情報とが重複していない場合は、新規登録放送の設定情報を放送プログラム制御部２２に送信する。放送プログラム制御部２２は、受信した放送プログラムの設定情報を放送プログラム制御部２２が備えるメモリに格納し、この放送プログラムの設定情報に基づく信号を無線部５０に供給する。そして、この放送プログラムは無線部５０から電波を用いて無線送信される。
【００２２】
また、遠隔制御装置３０は、放送プログラム登録部３１および放送プログラム制御部３２を備える。遠隔制御装置４０は、放送プログラム登録部４１および放送プログラム制御部４２を備える。ここで、遠隔制御装置３０および遠隔制御装置４０の各構成要素については遠隔制御装置２０で説明した場合と同様であるので重複した説明は省略する。
【００２３】
次に、本実施の形態にかかる無線装置の動作について説明する。図２は、本実施の形態にかかる無線装置の動作を説明するためのフローチャートである。まず、操作卓１０の入力手段を用いて放送プログラムが設定される場合について説明する。
【００２４】
操作卓１０の入力手段を用いて放送日時情報、放送地区情報、および放送内容等の設定情報が入力されると、放送プログラム登録部１１は、放送日時情報および放送地区情報を含む新規登録放送情報を設定する。そして、放送プログラム登録部１１は設定された新規登録放送情報を放送プログラム管理部１３に送信する（ステップＳ１）。
【００２５】
放送プログラム管理部１３は、放送プログラム登録部１１が送信した新規登録放送情報を受信すると、メモリに格納された登録済み放送情報と新規登録放送情報とを比較する（ステップＳ２）。すなわち、放送プログラム管理部１３は、新規登録放送情報の放送日時情報および放送地区情報が、操作卓１０の放送プログラム制御部１２および遠隔制御装置２０、３０、４０の放送プログラム制御部２２、３２、４２に既に登録された放送プログラムの放送日時情報および放送地区情報と重複するか否かを判断する（ステップＳ３）。
【００２６】
放送プログラム管理部１３は、新規登録放送情報の放送日時情報および放送地区情報と、登録済み放送情報の放送日時情報および放送地区情報とが重複していない場合、新規登録放送情報を放送プログラム管理部１３のメモリに格納する（ステップＳ４）。このように、放送プログラム管理部１３のメモリに、新たに新規登録放送情報の放送日時情報および放送地区情報を格納することで、以降、この新規登録放送情報と同一の放送日時情報および放送地区情報を含む放送プログラムが登録されることを抑制することができる。なお、このとき放送プログラム管理部１３は、放送プログラム管理部１３のメモリに新規登録放送情報が登録された旨のメッセージ（登録完了）を受け取る。
【００２７】
更に、放送プログラム管理部１３は、新規登録放送の設定情報を操作卓１０の放送プログラム制御部１２に送信する（ステップＳ５）。操作卓１０の放送プログラム制御部１２は、放送プログラム制御部１２が備えるメモリに新規登録放送の設定情報を格納し（ステップＳ６）、新規登録放送の設定情報（放送日時情報、放送地区情報、および放送内容等）に基づく信号を無線部５０に供給する。そして、この放送プログラムは無線部５０から電波を用いて無線送信される。なお、上記ステップＳ４とステップＳ５の順番は逆であってもよい。
【００２８】
一方、放送プログラム管理部１３は、新規登録放送情報の放送日時情報および放送地区情報と、登録済み放送情報の放送日時情報および放送地区情報とが重複している場合、新規登録放送情報を放送プログラム管理部１３のメモリに格納しない（ステップＳ７）。このとき放送プログラム管理部１３は、放送プログラム管理部１３のメモリに新規登録放送情報が登録されなかった旨のメッセージ（登録不可）を受け取る。この場合、放送プログラム管理部１３は、新規登録放送の設定情報を操作卓１０の放送プログラム制御部１２に送信しないので、放送プログラム制御部１２に新規登録放送の設定情報が登録されることはない。
【００２９】
図３は本実施の形態にかかる無線装置が格納する登録済み放送情報の一例を示す図である。図３に示すように、放送プログラム管理部１３のメモリには、放送日時情報と放送地区情報との組み合わせが登録されている。
【００３０】
また、図４は本実施の形態にかかる無線装置の放送プログラム登録部１１、２１、３１、４１が放送プログラム管理部１３に送信する新規登録放送情報の一例を示す図である。
放送プログラム管理部１３は、例えば１番目の新規登録放送情報（放送日時情報が"毎日１２：００"、放送地区情報が"Ｂ地区"）を受信すると、放送プログラム管理部１３のメモリに格納されている図３に示す登録済み放送情報と比較する。このとき、図４に示す１番目の新規登録放送情報は、図３に示す１番目の登録済み放送情報（放送日時情報が"毎日１２：００"、放送地区情報が"Ａ地区、Ｂ地区、Ｃ地区"）と重複しているので、放送プログラム管理部１３は登録不可（ＮＧ）と判断する。つまり、図４に示す１番目の新規登録放送情報と図３に示す１番目の登録済み放送情報は、放送日時情報が"毎日１２：００"で同一である。また、新規登録放送情報の放送地区情報"Ｂ地区"は、登録済み放送情報の放送地区情報"Ａ地区、Ｂ地区、Ｃ地区"に含まれているため登録不可となる。
【００３１】
一方、放送プログラム管理部１３は、例えば３番目の新規登録放送情報（放送日時情報が"４／２０  １５：００"、放送地区情報"Ｃ地区"）を受信すると、放送プログラム管理部１３のメモリに格納されている図３に示す登録済み放送情報と比較する。このとき、図４に示す３番目の新規登録放送情報は、図３に示す登録済み放送情報と重複していないので、放送プログラム管理部１３は登録可と判断する。
【００３２】
なお、図４に示す新規登録放送情報のうち、放送プログラム管理部１３において登録不可（ＮＧ）と判断された新規登録放送の設定情報は、放送プログラム制御部１２、２２、３２、４２に送信されない。
【００３３】
次に、遠隔制御装置２０、３０、４０を用いて放送プログラムを設定する場合について、図２を用いて説明する。以下では、例として遠隔制御装置２０を用いて放送プログラムを設定する場合について説明する。
【００３４】
遠隔制御装置２０の入力手段を用いて放送日時情報、放送地区情報、および放送内容等の設定情報が入力されると、放送プログラム登録部２１は、放送日時情報および放送地区情報とを含む新規登録放送情報を設定する。そして、放送プログラム登録部２１は設定された新規登録放送情報を操作卓１０の放送プログラム管理部１３へ送信する（ステップＳ１）。
【００３５】
放送プログラム管理部１３は、放送プログラム登録部２１が送信した新規登録放送情報を受信すると、メモリに格納された登録済み放送情報と新規登録放送情報とを比較する（ステップＳ２）。すなわち、放送プログラム管理部１３は、新規登録放送情報の放送日時情報および放送地区情報が、操作卓１０の放送プログラム制御部１２および遠隔制御装置２０、３０、４０の放送プログラム制御部２２、３２、４２に既に登録された放送プログラムの放送日時情報および放送地区情報と重複するか否かを判断する（ステップＳ３）。
【００３６】
放送プログラム管理部１３は、新規登録放送情報の放送日時情報および放送地区情報と、登録済み放送情報の放送日時情報および放送地区情報とが重複していない場合、新規登録放送情報を放送プログラム管理部１３のメモリに格納する（ステップＳ４）。このように、放送プログラム管理部１３のメモリに、新たに新規登録放送情報の放送日時情報および放送地区情報を格納することで、以降、この新規登録放送情報と同一の放送日時情報および放送地区情報を含む放送プログラムが登録されることを抑制することができる。なお、このとき放送プログラム管理部１３は、放送プログラム管理部１３のメモリに新規登録放送情報が登録された旨のメッセージ（登録完了）を受け取る。
【００３７】
更に、放送プログラム管理部１３は、新規登録放送の設定情報を遠隔制御装置２０の放送プログラム制御部２２に送信する（ステップＳ５）。遠隔制御装置２０の放送プログラム制御部２２は、放送プログラム制御部２２のメモリに新規登録放送の設定情報を格納し（ステップＳ６）、新規登録放送の設定情報（放送日時情報、放送地区情報、および放送内容等）に基づく信号を無線部５０に供給する。そして、この放送プログラムは無線部５０から電波を用いて無線送信される。なお、上記ステップＳ４とステップＳ５の順番は逆であってもよい。
【００３８】
一方、放送プログラム管理部１３は、新規登録放送情報の放送日時情報および放送地区情報と、登録済み放送情報の放送日時情報および放送地区情報とが重複している場合、新規登録放送情報を放送プログラム管理部１３のメモリに格納しない（ステップＳ７）。このとき放送プログラム管理部１３は、放送プログラム管理部１３のメモリに新規登録放送情報が登録されなかった旨のメッセージ（登録不可）を受け取る。この場合、放送プログラム管理部１３は、新規登録放送の設定情報を遠隔制御装置２０の放送プログラム制御部２２に送信しないので、放送プログラム制御部２２に新規登録放送の設定情報が登録されることはない。
【００３９】
なお、本実施の形態にかかる無線装置において放送プログラムを削除する場合は、操作卓１０や遠隔制御装置２０、３０、４０の入力手段を用いて、放送プログラム制御部１２、２２、３２、４２のメモリに格納された放送プログラムの設定情報、および放送プログラム管理部１３のメモリに格納された登録済み放送情報を削除する。
【００４０】
次に、本実施の形態にかかる無線システムについて説明する。図５は本実施の形態にかかる無線システムを説明するためのブロック図である。図５に示す無線システムは無線装置（親局設備）１と子局設備６０とを備える。無線装置１は、上記で説明した無線装置と同様であるので重複した説明は省略する。
【００４１】
子局設備６０は屋外拡声装置６１と戸別受信機６２を備える。屋外拡声装置６１は、無線装置１から送信された電波をアンテナを介して受信する。そして、送信信号に含まれている音声信号と選択呼出信号を復調し、復調した選択呼出信号が自己に対する呼び出しであるか否かを判定する。選択呼出信号が自己に対する呼び出しである場合、屋外拡声装置６１は復調した音声信号を増幅してスピーカより出力する。
【００４２】
同様に、戸別受信機６２は、無線装置１から送信された電波をアンテナを介して受信する。そして、送信信号に含まれている音声信号と選択呼出信号を復調し、復調した選択呼出信号が自己に対する呼び出しであるか否かを判定する。選択呼出信号が自己に対する呼び出しである場合、戸別受信機６２は復調した音声信号を増幅してスピーカより出力する。
【００４３】
以上で説明したように、本実施の形態にかかる無線装置および無線システムでは、操作卓１０および遠隔制御装置２０、３０、４０を用いて放送プログラムを登録する際に、放送日時情報および放送地区情報を含む設定情報を放送プログラム管理部１３において一元管理している。これにより、放送日時情報および放送地区情報が重複する放送プログラムが登録されることを抑制することができるので、放送予定のプログラムが放送されない等の問題を解決することができる。
【００４４】
よって、本発明により、操作卓および遠隔制御装置を用いて放送プログラムを設定する場合であっても、適切に放送プログラムを設定することが可能な無線装置および無線システムを提供することができる。
【００４５】
なお、本発明は上記実施の形態に限られたものではなく、趣旨を逸脱しない範囲で適宜変更することが可能である。例えば、上記実施の形態では放送プログラム管理部１３は操作卓１０に含まれる構成としたが、放送プログラム管理部１３は操作卓１０と独立して設けてもよい。すなわち、放送プログラム管理部１３は、操作卓１０および遠隔制御装置２０、３０、４０を用いて登録される放送プログラムの設定情報を一元管理できる構成であればよい。
【００４６】
また、放送プログラム管理部１３は、例えば操作卓１０の他に、遠隔制御装置２０、３０、４０の少なくとも１つに設けてもよい。この場合、通常動作時は操作卓１０に設けられた放送プログラム管理部を用いて放送プログラムを一元管理し、災害等により操作卓１０の放送プログラム管理部が故障した際に、遠隔制御装置２０、３０、４０の少なくとも１つに設けられた放送プログラム管理部を用いて放送プログラムを一元管理してもよい。
【００４７】
以上、本発明を上記実施形態に即して説明したが、上記実施形態の構成にのみ限定されるものではなく、本願特許請求の範囲の請求項の発明の範囲内で当業者であればなし得る各種変形、修正、組み合わせを含むことは勿論である。
【符号の説明】
【００４８】
１  無線装置
１０  操作卓
２０、３０、４０  遠隔制御装置
１１、２１、３１、４１  放送プログラム登録部
１２、２２、３２、４２  放送プログラム制御部
１３  放送プログラム管理部
５０  無線部
６０  子局設備
６１  屋外拡声装置
６２  戸別受信機
【図１】
0005392170.tif 000002
【図２】
0005392170.tif 000003
【図３】
0005392170.tif 000004
【図４】
0005392170.tif 000005
【図５】
0005392170.tif 000006
【図６】
0005392170.tif 000007